(57)【要約】【課題】コイル支持部を配置する時の組立て性が良好で、設計自由度の高い誘導加熱調理器を提供することを目的とする。【解決手段】加熱コイル２１を支持するコイル支持部１６と、前記コイル支持部１６をトッププレート１２方向に押さえつけるバネ２３とを備え、外郭１１の底面１８または側面１９またはその両方に固定され前記コイル支持部１６の端部２５に当接することにより前記コイル支持部１６の水平方向の移動を規制する位置決め部２６を設けることにより、前記位置決め部２６にコイル支持部１６の端部２５を沿わせることでコイル支持部１６の位置が容易に決まるため、良好な組立て性が得られる。また、コイル支持部上１６において加熱コイル２１の配置を制限するものが無くなるため、設計自由度が向上する。【選択図】図２
2011090984.tif 000002
【特許請求の範囲】
【請求項１】
底面と側面を有し、上方に調理容器を載置するためのトッププレートが設けられる外郭と、前記外郭内に設けられ前記調理容器を前記トッププレートの下方から誘導加熱するための加熱コイルと、前記加熱コイルを支持するコイル支持部と、前記コイル支持部を前記トッププレート方向に押さえつけるバネとを備え、前記外郭の底面または側面またはその両方に固定され前記コイル支持部の端部に当接することにより前記コイル支持部の水平方向の移動を規制する位置決め部を設けた誘導加熱調理器。
【請求項２】
少なくとも１つ以上の位置決め部は外郭の側面で構成した請求項１に記載の誘導加熱調理器。
【請求項３】
コイル支持部の端部が位置決め部に沿って上下方向にスライド可能な構成とした請求項１または２に記載の誘導加熱調理器。
【請求項４】
位置決め部は、上部から下部に向かって外郭の内側方向に傾斜するテーパー部を設けた請求項３に記載の誘導加熱調理器。
【発明の詳細な説明】
【技術分野】
【０００１】
本発明は、一般家庭等で使用される誘導加熱調理器に関するものである。
【背景技術】
【０００２】
従来、この種の誘導加熱調理器は筐体にバネを伸縮可能に係合し、加熱コイルを支持している（例えば、特許文献１参照）。
【０００３】
図４は、特許文献１に記載された従来の誘導加熱調理器の縦断面図である。
【０００４】
図４に示すように、従来の誘導加熱調理器は、加熱コイル１を支持するコイル支持部２に設けられた穴３に、筐体４に取り付けられた支持金具５に係合するバネ６と支持金具５が嵌まり込んだ構成になっており、前記バネ６でコイル支持部２をトッププレート７に向かって押し付けると共に、支持金具５、バネ６と穴３の係合により、コイル支持部２の位置決めと横ずれ防止を行っている。
【０００５】
また、従来の誘導加熱調理器には、バネとは別の場所で筐体とコイル支持部を係合させているものもある（例えば、特許文献２参照）。
【０００６】
図５は、特許文献２に記載された従来の誘導加熱調理器の縦断面図である。特許文献１に記載された従来の誘導加熱調理器のものと同じ構成部材には同じ番号を付して説明を省略する。
【０００７】
図５に示すように、この種の従来の誘導加熱調理器は、コイル支持部２と筐体４との間のスペースが狭い等の理由で支持金具５と穴６との間で十分な係合代が取れない場合、コイル支持部２に新たに設けられたガイド部８に、筐体４に設けられたボス９が係合する構成となっており、これによりコイル支持部２の位置決めと横ずれ防止を行っている。
【先行技術文献】
【特許文献】
【０００８】
【特許文献１】特開２００７−３３５０８９号公報
【特許文献２】特開２００９−５９４８９号公報
【発明の概要】
【発明が解決しようとする課題】
【０００９】
しかしながら、従来の構成のような誘導加熱調理器は、組立て時に穴６やガイド部８に支持金具５やバネ６、ボス９を通す必要があり、組立て性が大変悪いものであった。
【００１０】
また、トッププレートから外郭底面までの高さが低い薄型の誘導加熱調理器においては、コイル支持部２と筐体４との間のスペースが狭いため、特許文献２の様な構成をとる必要があるが、ボス９がコイル支持部２を貫通する構成であるため、コイルの直下にボスを配置できない等設計自由度の乏しいものであった。
【００１１】
本発明は、前記従来の課題を解決するもので、コイル支持部を配置する時の組立て性が良好で、設計自由度の高い誘導加熱調理器を提供することを目的とする。
【課題を解決するための手段】
【００１２】
前記従来の課題を解決するために、本発明の誘導加熱調理器は、外郭の底面または側面
またはその両方に位置決め部を固定し、加熱コイルを支持するコイル支持部の端部に当接することによりコイル支持部の水平方向の移動を規制する構成としたものである。
【００１３】
これによって、外郭に構成された位置決め部にコイル支持部の端部を沿わせることにより、コイル支持部の位置が決まるため、組立て時に穴を狙ってセットするといった動作が不要となるため、良好な組立て性が得られる。また、コイル支持部上においてコイルの配置を制限するものが無くなるため、設計自由度が向上する。
【発明の効果】
【００１４】
本発明の誘導加熱調理器は、コイル支持部を配置する時の組立て性が良好で、かつコイル配置に対して高い設計自由度を実現することができる。
【図面の簡単な説明】
【００１５】
【図１】本発明の実施の形態における誘導加熱調理器の分解斜視図
【図２】本発明の実施の形態における誘導加熱調理器の縦断面図
【図３】本発明の実施の形態における誘導加熱調理器の組立て時の動作を示す縦断面図
【図４】特許文献１に記載された従来の誘導加熱調理器の縦断面図
【図５】特許文献２に記載された従来の誘導加熱調理器の縦断面図
【発明を実施するための形態】
【００１６】
第１の発明は、底面と側面を有し、上方に調理容器を載置するためのトッププレートが設けられる外郭と、前記外郭内に設けられ前記調理容器を前記トッププレートの下方から誘導加熱するための加熱コイルと、前記加熱コイルを支持するコイル支持部と、前記コイル支持部を前記トッププレート方向に押さえつけるバネとを備え、前記外郭の底面または側面またはその両方に固定され前記コイル支持部の端部に当接することにより前記コイル支持部の水平方向の移動を規制する位置決め部を設けたことにより、外郭に構成された位置決め部にコイル支持部の端部を沿わせることでコイル支持部の位置が決まるため、組立て時に穴を狙ってセットするといった動作が不要となり、良好な組立て性が得られる。また、コイル支持部上においてコイルの配置を制限するものが無くなるため、設計自由度を向上することができる。
【００１７】
第２の発明は、特に、第１の発明の少なくとも１つ以上の位置決め部を外郭の側面で構成したことにより、部品点数の削減を図ることができ、よりシンプルな構成で上記組立て性と設計自由度を向上することができる。
【００１８】
第３の発明は、特に、第１または第２の発明のコイル支持部の端部が位置決め部に沿って上下方向にスライド可能な構成としたことにより、コイル支持部をセットした後、トッププレートでコイル支持部をバネ力に対向して下方に押さえつける時にも、コイル支持部の端部が位置決め部に沿って下方にスライドするため、常にコイル支持部の位置が正確に保たれ、確実な組立てを可能にすることができる。
【００１９】
第４の発明は、特に、第３の発明の位置決め部に上部から下部に向かって外郭の内側方向に傾斜するテーパー部を設けたことにより、コイル支持部のセット時はある程度ラフにセットしてもトッププレートでコイル支持部をバネ力に対向して下方に押さえつける時に、コイル支持部の端部が位置決め部に設けられたテーパー部に沿って徐々に適正位置に誘われながら下方にスライドするため、更に組立て性を向上することができる。
【００２０】
以下、本発明の実施の形態について、図面を参照しながら説明する。なお、この実施の形態によって本発明が限定されるものではない。
【００２１】
（実施の形態）
図１は、本発明の実施の形態における誘導加熱調理器の分解斜視図を示すものである。図１において、外郭１１の上部にはトッププレート１２が設けられ、外郭１１内かつトッププレート１２下方には、誘導加熱を制御するための制御回路１３、加熱コイルを支持するコイルベース１４と加熱コイルから制御回路１３への磁界の影響を防ぐための防磁板１５とからなるコイル支持部１６、誘導加熱のための操作スイッチや表示装置を搭載した操作部１７を設けて構成している。
【００２２】
図２は、本発明の実施の形態における誘導加熱調理器の縦断面図を示すものである。図１に示す構成部材と同じものには同じ番号を付している。
【００２３】
図２において、外郭１１は底面１３と側面１９を有し、上方に調理容器２０を載置するためのトッププレート１２が設けられている。トッププレート１２の下方には調理容器２０を誘導加熱するための加熱コイル２１、加熱コイル２１を支持するコイルベース１４と加熱コイル２１から下方の制御回路１３への磁界の影響を防ぐための防磁板１５とからなるコイル支持部１６を設けて構成している。
【００２４】
制御回路１３は、外郭１１の底面１８に固定された基板ベース２２に配置されている。また、この基板ベース２２には、コイル支持部１６を下方からトッププレート１２に向かって押さえつけるバネ２３がセットされており、防磁板１５が前記バネ２３の上端に載置された構成となっている。
【００２５】
また、操作部１７は外郭１１の底面１８と側面１９に固定された操作部カバー２４に設置されている。前記操作部カバー２４および外郭１１の側面１９には、前記コイル支持部１６の端部２５に当接することによりコイル支持部１６の水平方向の移動を規制する位置決め部２６がそれぞれ設けられている。
【００２６】
なお本実施の形態では、操作部カバー２４に設けられた位置決め部２６はリブ形状で構成されており、外郭１１の側面１９に設けられた位置決め部２６は絞り形状で構成されている。
【００２７】
また、前記位置決め部２６には、上部から下部に向かって外郭１１の内側方向に傾斜するテーパー部２７が設けられている。
【００２８】
図３は、本発明の実施の形態における誘導加熱調理器の組立て時の動作を示す縦断面図である。構成部材は図２に示すものと同じであるため、同一番号を付し部材の説明は省略する。
【００２９】
以上のように構成された誘導加熱調理器について、以下その動作、作用を説明する。本実施の形態に示す誘導加熱調理器は、コイル支持部１６を構成する防磁板１５の端部２５に当接することによって水平方向の移動を規制する位置決め部２６を設けており、図３に示すように、外郭１１の側面１９や操作部カバー２４に構成された位置決め部２６にコイル支持部１６の端部２５を沿わせることでコイル支持部１６の位置が簡単に決まるため、組立て時に穴を狙ってセットするといった動作が不要となり、良好な組立て性が得られる。
【００３０】
また、図２に示すように、コイル支持部１６を構成する防磁板１５上においてコイルの配置を制限するものが無くなるため、設計自由度を向上することができる。
【００３１】
また、本実施の形態では、少なくとも１箇所以上の位置決め部２６は外郭１１の側面１９で構成しているため、部品点数の削減を図ることができ、よりシンプルな構成で上記組立て性向上と設計自由度向上の効果が得られるものである。
【００３２】
また、本実施の形態では、図３に示すように、コイル支持部１６の端部２５が位置決め部２６に沿って上下方向にスライド可能な構成となっているため、組立て時にコイル支持部１６をセットした後、トッププレート１２でコイル支持部１６をバネ２３の押え力に対向して図３の矢印方向に押さえつける時にも、コイル支持部１６の端部２５が位置決め部２６に沿って下方にスライドするため、常にコイル支持部１６の位置が正確に保たれ、確実な組立てができるものである。
【００３３】
さらに、本実施の形態では、図３に示すように、位置決め部２６に上部から下部に向かって外郭１１の内側方向に傾斜するテーパー部２７を設けたことにより、コイル支持部１６のセット時はある程度ラフにセットしてもトッププレート１２でコイル支持部１６をバネ２３の押え力に対向して下方に押さえつける時に、コイル支持部１６の端部２５が位置決め部２６に設けられたテーパー部２７に沿って徐々に適正位置に誘われながら下方にスライドするため、更に組立て性を向上することができる。
【産業上の利用可能性】
【００３４】
以上のように、本発明にかかる誘導加熱調理器は、コイル支持部のセット時の位置決めを容易にしたり、加熱コイルの配置に対する設計自由度を向上することが可能となるので、誘導加熱調理器以外でも加熱部の位置決めが必要な加熱調理器に有効である。
【符号の説明】
【００３５】
１２  トッププレート
１１  外郭
１６  コイル支持部
１８  底面
１９  側面
２０  調理容器
２１  加熱コイル
２３  バネ
２５  端部
２６  位置決め部
２７  テーパー部
【図１】
2011090984.tif 000003
【図２】
2011090984.tif 000004
【図３】
2011090984.tif 000005
【図４】
2011090984.tif 000006
【図５】
2011090984.tif 000007